(57)【要約】【課題】  トンネル火災時に放水対象区画を決定するトンネル管制員の負担を軽減する。【解決手段】  複数の放水弁が区画対応に設置されたトンネル内で火災が発生したとき放水対象とする区画を手操作選択させる放水区画の選択手段５４ａ〜５４ｅと、選択手段５４ａ〜５４ｅで選択された前記放水区画に属する前記放水弁から消火液を放水させる放水開始指示手段５２と、前記トンネル内で火災が発生したとき前記トンネル内の情報に基づき放水対象とする区画をどの区画にするかを演算処理により求める制御手段と、前記制御手段の演算処理によって求められた放水対象の区画を前記手操作選択の前に報知する放水区画推奨手段（図示の例では選択手段５４ｂ、５４ｃに付設）とを備える。これにより、管制員は自身による区画決定前に制御手段の推奨する放水区画を参考にすることが可能となる。【選択図】  図２
2005048434.tif 000002
【特許請求の範囲】
【請求項１】
放水弁が所定の区画毎に設置されたトンネル内で火災が発生したとき放水対象とする区画を手操作選択させる放水区画の選択手段と、前記選択手段で選択された前記放水区画に属する前記放水弁から消火液を放水させる放水開始指示手段と、前記トンネル内で火災が発生したとき前記トンネル内の情報に基づき放水対象とする区画をどの区画にするかを演算処理により求める制御手段と、前記制御手段の演算処理によって求められた放水対象の区画を前記手操作選択の前に報知する放水区画推奨手段とを備えることを特徴とするトンネル監視装置。
【請求項２】
放水弁が所定の区画毎に設置されたトンネル内で火災が発生したとき前記トンネル内の情報に基づき放水対象とする区画をどの区画にするかを演算処理により求める制御手段と、前記演算処理により求められた区画を自動選択すると共に前記自動選択された区画を手動により変更可能とする区画選択手段と、前記自動選択の対象となった区画を報知する放水区画推奨手段と、前記区画選択手段により選択された前記区画に属する前記放水弁から消火液を放水させる放水開始の手操作指示手段とを備えることを特徴とするトンネル監視装置。
【発明の詳細な説明】
【技術分野】
【０００１】
本発明は、火災発生時に消火用の放水制御を管制員の手動操作の指示に基づいて行うトンネル監視装置に係り、特に、管制員の手動操作の指示入力を支援し管制員の負担を軽減するのに好適なトンネル監視装置に関する。
【背景技術】
【０００２】
自動車用のトンネルには、下記特許文献１、特許文献２、特許文献３に記載されている様に、トンネル内で発生した渋滞や火災、事故等の異常を迅速に検出することができるように、各種センサや監視カメラが設置されている。
【０００３】
そして、これらセンサの検出信号や監視映像は、遠隔地に設けられた中央監視制御室に送信され、管制員が異常発生現場の撮影映像をモニタ画面で監視し、必要なときは制御指令信号を出力してトンネル設置の放水弁から火災地点に放水できる様になっている。
【０００４】
トンネル内で消火のための放水を行う場合、例えば火災現場の対向車線を通過して火災から逃げる車両があったときにこの車両のフロントガラスに多量の水を予告無しに放水してしまうと、車両を運転するドライバの視界を遮り、運転に支障を来して事故の原因になってしまう。このため、従来から、放水するか否かや放水開始時点の判断は、トンネル監視を行っている管制員に委ね、自動制御で放水を行わないようになっている。
【０００５】
【特許文献１】特開平１１―１２０４５７号公報
【特許文献２】特開平２０００―９９８５１号公報
【特許文献３】特開２０００―２７１２４３号公報
【発明の開示】
【発明が解決しようとする課題】
【０００６】
しかしながら、管制員が放水指示を手動で入力するとき、単に放水するか否かや、放水開始時点だけを判断すればよいのではなく、その他にも、下記の様な放水区画の判断も瞬時に行う必要がある。
【０００７】
トンネルには、火災消火用の水を貯めておく貯水槽や、トンネル内の各所に設置された放水弁や、貯水槽の水を加圧して各放水弁に圧送する消火ポンプが併設されるが、近年の様に長大化したトンネルでは、トンネルの全区間で一斉に放水することができる吐出容量を持った消火ポンプや貯水槽を併設することは困難である。このため、管制員には、トンネル内の風向きや火災発生地点とトンネル出入り口との関係等に鑑み、どの区画で放水を開始し、放水する区画をどの様に移動させれば良いかという判断が要求される。
【０００８】
この判断は、火災発生という緊急事態が生じたときに、錯綜する様々な情報や警報の下で行わなければならず、管制員の負担を増大させる一因になっている。
【０００９】
本発明の目的は、管制員の判断を支援し、火災発生時の管制員の負担を軽減することができるトンネル監視装置を提供することにある。
【課題を解決するための手段】
【００１０】
本発明のトンネル監視装置は、放水弁が所定の区画毎に設置されたトンネル内で火災が発生したとき放水対象とする区画を手操作選択させる放水区画の選択手段と、前記選択手段で選択された前記放水区画に属する前記放水弁から消火液を放水させる放水開始指示手段と、前記トンネル内で火災が発生したとき前記トンネル内の情報に基づき放水対象とする区画をどの区画にするかを演算処理により求める制御手段と、前記制御手段の演算処理によって求められた放水対象の区画を前記手操作選択の前に報知する放水区画推奨手段とを備えることを特徴とする。
【００１１】
この構成により、管制員は、放水区画を決定するときに、制御手段が演算処理によって求めた推奨区画を参考にすることができるため、管制員の負担が軽減し、放水区画の決定を慌てること無く冷静に行うことが可能となる。
【００１２】
本発明のトンネル監視装置は、放水弁が所定の区画毎に設置されたトンネル内で火災が発生したとき前記トンネル内の情報に基づき放水対象とする区画をどの区画にするかを演算処理により求める制御手段と、前記演算処理により求められた区画を自動選択すると共に前記自動選択された区画を手動により変更可能とする区画選択手段と、前記自動選択の対象となった区画を報知する放水区画推奨手段と、前記区画選択手段により選択された前記区画に属する前記放水弁から消火液を放水させる放水開始の手操作指示手段とを備えることを特徴とする。
【００１３】
この構成によっても、管制員は、放水区画を決定するとき制御手段が演算処理によって求めた推奨区画を参考にすることができ、管制員の負担が軽減する。更に、推奨区画が自動選択されるため、自動選択された区画を放水区画として管制員が決定するときの手操作を省くことができ、火災に対する迅速な対応が可能となる。しかも、この場合でも、放水開始の指示は手操作入力であるため、放水開始前に放水区画の手操作による変更が可能であり、管制員の判断が制御手段より優先される。
【発明の効果】
【００１４】
本発明によれば、火災発生時に管制員が放水区画の決定を行うとき、制御装置が放水最適区画として算出した区画を管制員に推奨する構成としたため、制御装置の算出した区画を参考にして管制員が実際に放水する区画を決定することができるトンネル監視装置を提供することができる。
【発明を実施するための最良の形態】
【００１５】
以下、本発明の一実施形態について、図面を参照して説明する。
【００１６】
図１は、自動車用の複数のトンネルを集中的に監視する中央監視制御室に設置される本発明の一実施形態に係るトンネル監視装置の構成図である。このトンネル監視装置１０は、管制員１１が操作する管制卓１２と、管制卓１２上に並べて設けられた３台の映像監視用のモニタ１３ａ、１３ｂ、１３ｃと、１台の設備表示用のモニタ１４と、１台のガイダンス表示用のモニタ１５と、管制卓１２内に設置され映像監視用のモニタ１３ａ、１３ｂ、１３ｃを制御する映像制御ユニット１６と、管制卓１２内に設置され映像制御ユニット１６と連携して設備表示用のモニタ１４及びガイダンス表示用のモニタ１５を制御すると共にトンネル監視制御を統括する制御手段としての演算ユニット１７とを備える。管制卓１２上には、管制員用の操作パネル１９が設けられている。
【００１７】
監視対象とするトンネルとして、Ａトンネル、Ｂトンネル、Ｃトンネル、…、Ｎトンネルがあり、図１には、Ａトンネル、Ｂトンネルの２つのトンネルのみを図示している。Ａトンネル、Ｂトンネル、…、Ｎトンネルには、夫々、複数の火炎検出用のセンサ２０と水噴霧放水弁２１とが所定間隔毎に設置されている。また、Ａトンネル、Ｂトンネル、…、Ｎトンネルは夫々所要区画毎に区分され、各区画毎に工業用の監視カメラ（ＩＴＶ）２２が設置されている。
【００１８】
Ａトンネル、Ｂトンネル、…、Ｎトンネルの各監視カメラ２２は、トンネル監視装置１０の映像制御ユニット１６と信号線２５により接続され、各センサ２０及び水噴霧放水弁２１は、トンネル監視装置１０の演算ユニット１７に制御線２６により接続されている。
【００１９】
図１には、異常検出用のセンサとして火炎検出用のセンサ２０のみを図示したが、その他の異常検出用センサとして、例えば、トンネル内に所定間隔で設置された非常押しボタンや消火栓起動ボタンの夫々の押下を検出するセンサ、消火器設置場所の扉の開閉検出センサ、避難路の扉の開閉検出センサ、非常電話のオフフック検出用センサ等が設けられており、これらのセンサも制御線２６に接続されている。
【００２０】
また、本実施形態の演算ユニット１７は、各監視カメラ２２からの映像信号を映像制御ユニット１６から取り込んで画像処理し、映像中の車両の車速が所定速度以下になったことを検出する図示しない画像処理装置を有する。この画像処理装置は、所定速度以下の低速車両（停止車両を含む。）を検出したとき、検出した低速車両の発生場所を警報発生場所として低速車両発生の警報を出力する。
【００２１】
図２は、操作パネル１９の一例を示す図である。この操作パネル１９には、制御トンネル用パネル３０と、異常判定用パネル４０と、水噴霧制御用パネル５０と、模擬訓練時に使用する模擬訓練用スイッチ６０と、制御モードを半自動とするか手動とするかを入力する制御モードスイッチ７０と、運用制御権を選択する運用制御権スイッチ８０とが設けられている。
【００２２】
制御トンネル用パネル３０には、監視対象とする各トンネルの「上り」「下り」毎に選択表示用ランプ３１が配列されている。いずれかのトンネルで異常が発生し演算ユニット１７がそのトンネル及び異常発生区画を特定したとき、該当の選択表示用ランプ３１を点灯すると共に、映像監視用のモニタ１３ａ、１３ｂ、１３ｃに、異常の発生したトンネルに設置されている監視カメラの撮影映像を表示する。これにより、管制員は、映像監視用のモニタ１３ａ、１３ｂ、１３ｃに映っている映像がどのトンネルの「上り」車線あるいは「下り」車線の映像であるかを判断することができる。尚、選択表示用ランプ３１に夫々選択スイッチを併設し、監視するトンネルを手動選択できる構成としてもよい。
【００２３】
異常判定用パネル４０には、トンネル内で異常が発生したとき異常発生の区画番号を表示する表示部４１と、異常発生が誤報であったと管制員が判断したとき管制員が押す誤報スイッチ４２と、管制員が火災発生を認知したとき押す火災認知スイッチ４３と、火災が鎮火したと管制員が判断したとき押す火災鎮火スイッチ４４と、火災から復旧したと管制員が判断したとき押す火災復旧スイッチ４５と、管制員が事故発生を認知したとき押す事故スイッチ４６と、事故から復旧したと管制員が判断したとき押す事故復旧スイッチ４７と、管制員が防災盤が復旧したと判断したとき押す防災盤復旧スイッチ４８とが設けられている。
【００２４】
この異常判定用パネル４０には、更に、複数火災用パネル４９が設けられている。この複数火災用パネル４９には、複数火災が発生したとき、例えば、Ａトンネルで火災が発生している時にＢトンネルでも火災が発生したとき、この複数火災の発生を管制員に報知する複数火災発生表示ランプ４９ａと、複数火災が発生したとき各火災現場順にモニタ画面の表示切り替えを指示する複数火災表示切替スイッチ４９ｂとが設けられている。
【００２５】
水噴霧制御用パネル５０は、水噴霧放水弁２１を手操作指示で施錠する鎖錠スイッチ５１と、この施錠を解除して放水開始を手操作で指示入力する鎖錠解スイッチ５２と、放水する水噴霧放水弁２１を手操作で選択指示する選択放水スイッチ５４ａと、放水停止を手操作で選択する放水停止スイッチ５３ａと、区画番号を表示する表示部５５ａとを備える。
【００２６】
この実施形態では、トンネル内のある区画で火災が発生したとき、その前後２区画分づつ合計５区画分の放水選択指示を直ぐに行える様に、５区画分の選択放水スイッチ５４ａ、５４ｂ、５４ｃ、５４ｄ、５４ｅと、５区画分の放水停止スイッチ５３ａ、５３ｂ、５３ｃ、５３ｄ、５３ｅと、５区画分の表示部５５ａ、５５ｂ、５５ｃ、５５ｄ、５５ｅが水噴霧制御用パネル５０に用意されており、更にその前後の区画で放水する必要があったときは、矢印キー５６、５７で区画移動ができるようになっている。また、この水噴霧制御用パネル５０には、放水時間表示用の表示部５８も設けられている。
【００２７】
本実施形態の各選択放水スイッチ５４ａ、５４ｂ、５４ｃ、５４ｄ、５４ｅには、詳細は後述する放水区画推奨手段としてのＬＥＤ等の発光手段が付設される。この発光手段は、選択放水スイッチのオンオフ状態を表示する発光手段とは別に設けられ、両発光手段による発光の有無は、発光色の違い、発光手段の取付位置等によって容易に識別可能となっている。
【００２８】
図３は、Ａトンネルに設けられている換気設備や消火設備等の設備配置図の一例を示す図であり、管制卓１２内に設けられた図示しない大容量記憶装置には、監視対象となっているＡトンネル、Ｂトンネル、…、Ｎトンネル毎の設備配置データが予め格納されており、例えばＡトンネルに設置されたセンサ２０が火災発生を検知したとき、この火災発生の検知信号を受信した演算ユニット１７がＡトンネルの設備配置データを大容量記憶装置から読み出し、図１の設備表示用のモニタ１４に表示する。
【００２９】
図４は、Ａトンネルに設けられている設備の運用ガイダンスを示す図である。Ａトンネルで火災が発生したとき、火災が消火されるまでの設備運用のガイダンスをモニタ画面に表示することで、管制員を支援する。
【００３０】
Ａトンネル、Ｂトンネル、…Ｎトンネル毎に設置設備の種類や数等が異なるため、設備運用のガイダンスデータは、Ａトンネル、Ｂトンネル、…、Ｎトンネル毎に大容量記憶装置に予め格納されており、異常が発生したとき異常発生トンネルの運用ガイダンスデータが演算ユニット１７によって大容量記憶装置から読み出され、図１のガイダンス表示用のモニタ１５に表示される。
【００３１】
演算ユニット１７は、この図４の運用ガイダンスをガイダンス表示用のモニタ１５に表示したとき、先ず、事象検出処理手順で「警報ベル鳴動」「トンネル選択」「事象判定」の各処理ステップを演算ユニット１７が自動的に実行していることを管制員に報知するため、例えばこれらを赤色表示する。そして、これらの処理後に赤色表示を例えば緑色表示に変えて各処理が終わったことを管制員に知らせ、次に行うべき処理を赤色表示する。
【００３２】
図４の例では、次に行うべき処理は「火災認定」処理であり、この火災認定は管制員が行うため、管制員に火災認定を促すために、「火災認定」を点滅表示する。
【００３３】
Ａトンネルの或る区画で火災が発生したことを演算ユニット１７が検出したとき、演算ユニット１７は、図４の運用ガイダンスをモニタ１５に表示し、図３の設備配置図をモニタ１４に表示する。このとき同時に、Ａトンネルの火災発生区画に設置されている監視カメラ２２の撮影映像が映像監視用のモニタ１３ａに表示され、更に、この区画に関連する区画たとえば隣接区画に設置されている監視カメラの撮影映像が監視モニタ１３ｂ、１３ｃに表示される。
【００３４】
管制員がこれらの監視モニタ１３ａ、１３ｂ、１３ｃの映像を見て火災発生を認知したとき、図２に示す火災認知スイッチ４３を押下する。これにより、「火災認知」処理ステップが終了して、次の火災初期制御手順に進む。あるいは、管制員が監視モニタ１３ａ、１３ｂ、１３ｃの映像を見て火災発生が誤報であると認定したときは、図２の誤報スイッチ４２を押下し、以後の火災処理のステップを終了させる。
【００３５】
トンネル監視装置１０は、火災が誤報でなく、実際に火災が発生していると管制員が認知したとき、図４に示す処理ステップのうち必要な処理ステップを自動的に順に実行し、管制員の判断を仰ぐ処理ステップに来たとき、管制員が操作パネル１９から入力する指示を待機する。
【００３６】
演算ユニット１７は、管制員からの入力指示を待機するとき、操作パネル１９上で操作可能なスイッチのみを点滅表示して操作可能なスイッチがどれであるかを管制員に知らせ、それ以外のスイッチは、誤操作防止のためにロックしてしまう。更に、ロックしたスイッチを管制員が誤って押下しても、その入力信号はエラー扱いにして、無効とする。
【００３７】
管制員の判断を仰ぐ処理には、異常発生が誤報であるか否かの判断や、水噴霧および換気制御の要不要の判断、並びにこれら制御を行う区画の判断等があり、夫々人命に関わる。このため、管制員は、トンネルの長さや設置設備、その時の交通量に応じて臨機応変に対応する必要があるが、本実施形態の様に、管制員が重要判断を行うときに、管制員が採り得る選択肢に対応するスイッチが操作パネル１９上で明示されることで、管制員は他の選択肢を考慮する必要がなくなり、更に、他のスイッチがロックされることで誤操作の心配がなくなり、より沈着な判断が可能になる。
【００３８】
次に、上述した構成のトンネル監視装置で、例えばＡトンネルのある区画で火災が発生したときの演算ユニット１７の動作を説明する。
【００３９】
図５は、火災が発生したときに演算ユニット１７が実行する制御手順を示すフローチャートである。尚、このフローチャート中で、二重線枠で囲まれた処理は管制員（人）による処理である。
【００４０】
演算処理ユニット１７は、事故等の異常が発生していない状態では平常の運用処理を行っており、異常事象が発生すると、この異常事象の検出処理（ステップＳ１）に入る。異常事象の検出処理は、トンネル設置のいずれかのセンサが異常の発生を検知し或いは上述した画像処理装置が低速車両を検出して演算ユニット１７に警報を通報したとき開始されるが、その他に、管制員がモニタ画面を監視している最中に異常発生を発見して異常発生を手操作入力したときにも開始される。
【００４１】
異常事象が検出されたとき、演算ユニット１７は、その異常が発生した区画を検出（ステップＳ２）する。各センサからの警報には、各センサ設置場所を示すコードが付加されており、警報を受信した演算ユニット１７は、警報のデータ解析を行うことで、警報発生場所すなわち異常事象の発生区画を検出する。
【００４２】
この異常事象の区画検出処理（ステップＳ２）と同時に、異常事象が検出された区画の監視カメラ及び隣接区画の監視カメラを選択（ステップＳ３）すると共に、アラーム音を中央監視制御室内に出力（ステップＳ４）する。
【００４３】
この結果、図６に示す様に、映像監視用のモニタ１３ａ、１３ｂ、１３ｃには異常発生区画及び隣接区画に設置されている監視カメラの撮影映像が表示されると共に、設備表示用のモニタ１４にはＡトンネルの設備データが表示され、その設備の運用ガイダンスがガイダンス表示用のモニタ１５に表示される。
【００４４】
次に、管制員は、映像監視用のモニタ１３ａ、１３ｂ、１３ｃを見ながら異常事象の状況確認を行い（ステップＳ５）、パトロールカー等への緊急指示などを行う。その後、管制員は、異常事象の判定処理（ステップＳ６）を行う。
【００４５】
管制員が異常事象の判定を行った結果、異常事象が火災である場合には図２の火災認知スイッチ４３を押下して火災認定処理（ステップＳ７）を行い、異常事象が事故である場合には図２の事故スイッチ４６を押下して事故認定処理（ステップＳ８）を行い、異常の通報が誤報である場合には図２の誤報スイッチ４２を押下して誤報処理（ステップＳ９）を行う。
【００４６】
図５では、異常事象の判定の結果、「火災」「事故」「誤報」の３つの処理に進む例を述べたが、その他にも、「故障車」「落下物」等の処理に進む手順を設けても良い。このとき、ガイダンス表示用のモニタ１５には、図４の設備運用ガイダンスが表示されており、今の例では、「火災認定」、「事故」、「故障車」「落下物」「誤報」の処理ステップが点滅表示され、管制員による手操作入力を待機する。
【００４７】
管制員が火災認知スイッチ４３を押下すると、次に、演算ユニット１７は、火災初期制御処理を自動的実行する。火災初期制御処理として、本実施形態では、照明制御処理（ステップＳ１０）と、換気制御処理（ステップＳ１１）と、警告表示処理（ステップＳ１２）と、消火ポンプ起動処理（ステップＳ１３）とが設けられている。
【００４８】
照明制御処理では、Ａトンネル内に設置されている照明具を増灯制御してトンネル内を明るくし、換気制御ではＡトンネル内に設置されている各換気装置を制御して火災鎮火に適切となる風量制御を行う。警告表示処理では、トンネル入口やトンネル内に設置されている警告表示板に、例えは「Ａトンネルの第２０区画で火災発生」という表示を行い、消火ポンプ起動処理では、貯水層内の水を消火ポンプで吸い込み、何時でも放水弁から水噴霧放水ができるように準備する。
【００４９】
これらの火災初期制御処理が行われた後、管制員は、状況確認処理を行う（ステップＳ１４）。火災現場及びその近辺の撮影映像をモニタ画面で監視している管制員が、火災現場から避難する人を発見した場合には、この状況確認処理において、トンネル内設置の拡声器を用いて避難誘導を行う。
【００５０】
状況確認処理（ステップＳ１４）の後、詳細は図７で説明する火災消火制御処理（ステップＳ１５）を行い、鎮火した後に火災復旧制御（ステップＳ１６）を行い、平常の運用処理に戻る。火災復旧制御とは、例えば、照明を通常の照明に戻したり、排煙運転を行ったり、消火ポンプを停止させたりする制御である。
【００５１】
図７は、上述した火災消火制御処理の詳細処理手順を示すフローチャートである。この火災消火制御処理に入ったとき、管制員は、先ず、放水を行うか否かを判断する（ステップＳ２１）。放水を行う必要があると判断した場合には、次に、管制員は、放水する区画を決定する（ステップＳ２２）。
【００５２】
このとき、本実施形態では、管制員による放水区画の決定に先立ち、演算ユニット１７が、その時点における火災発生地点の他、延焼範囲、火炎温度、Ａトンネル内での風向等の情報を収集し、放水するのに最適と考えられる区画を演算して求め、例えば図２に示す様に、放水区画に該当する選択放水スイッチ５４ｂ、５４ｃに付設された発光手段（本実施形態における放水区画推奨手段）を点灯することで、管制員に放水区画を推奨する。この例では、消火ポンプの性能の関係で２区画分の放水弁にしか消火水を供給できないため、２区画分の選択放水スイッチを点灯している。
【００５３】
管制員は、点灯された選択放水スイッチがどのスイッチであるかを参考にして、選択放水スイッチ５４ａ、５４ｂ、５４ｃ、５４ｄ、５４ｅのいずれかを押下することで、放水区画を決定する。あるいは、点灯された選択放水スイッチ５４ｂ、５４ｃは点灯と同時に自動的に選択状態になる様にしてもよい。この場合、管制員が選択状態を変更したいと判断したときは、この放水区画決定処理（ステップＳ２２）で、演算ユニット１７が自動決定した選択状態を一旦解除して選択放水スイッチのいずれかを押下し、放水区画の決定を行う。
【００５４】
放水区画を決定した後は、トンネル内に放水することを予告する放送をＡトンネル付設の拡声器から放送し（ステップＳ２３）、その後、鎖錠解スイッチ５２を押下する。この鎖錠解スイッチ５２は放水開始スイッチであり、これにより、選択された放水区画の各放水弁から水噴霧放水が実行される（ステップＳ２４）。
【００５５】
そして、水噴霧放水を行っている旨の放送を自動的に開始し（ステップＳ２５）、管制員は、鎮火したか否か及び放水区画を移動して放水を継続するか否かを判断する（ステップＳ２６）。未だ鎮火しておらず追加放水が必要と判断した場合には、前述のステップＳ２１に戻って放水判断を行い、その後の放水区画決定処理（ステップＳ２２）で放水区画を移動し、移動距離が大きい場合には図２の矢印キー５６、５７で区画移動を行い、放水区画の再決定を行う。
【００５６】
演算ユニット１７は、火災の延焼範囲や火炎温度、風向等の情報を常時取得してその時点時点における最適な放水区画を演算により求めており、放水最適区画を該当選択放水スイッチの点灯等により管制員に知らせている。管制員は、この情報に基づき、区画移動を行うか否かを的確且つ迅速に行うことが可能となる。
【００５７】
管制員が鎮火したと判断したときは、放水中の選択スイッチに対応する放水停止スイッチ５３ａ、５３ｂ、５３ｃ、５３ｄ、５３ｅのいずれかを押下して放水を停止させ（ステップＳ２７）、これにより放水放送が自動終了される（ステップＳ２８）。そして、管制員は、現場の消防隊からの鎮火の通報を待ってから図２の火災鎮火スイッチ４４を押下する（ステップＳ２９）。これにより、この火災消火制御処理が終了し、図５の火災復旧処理に進む。
【００５８】
上述したステップＳ２１における放水を行うか否かの判断処理で、管制員が放水不要と判断した場合には、上述したステップＳ２９に進み、現場にいる消防隊からの鎮火の通報を待って、火災鎮火スイッチ４４を押下する。
【００５９】
この様に、管制員が放水区画の判断を行う時、演算ユニット１７が演算して求めた放水区画を管制員に事前に知らせて管制員の判断に資する構成とすることで、管制員の負担が軽減し、火災発生という非常事態下においても冷静な判断が可能となる。
【００６０】
管制員による放水区画の判断は、火災発生時の火災状況に対応して行う必要があるが、トンネル火災という異常事象の発生は滅多に起こるものではないため、管制員は、定期的に、コンピュータシミレーションによる模擬訓練を受けることになる。
【００６１】
この模擬訓練を行う場合、図２の模擬訓練スイッチ６０を用いて模擬訓練モードに入る。この模擬訓練モードに入り、例えばＡトンネルでの火災発生が指定されると、演算ユニット１７は、乱数等で火災発生区画を決定すると共に火災状況を設定する。火災状況として、例えば多重衝突によって数１０ｍ内で複数の火災が点々と発生した場合とか、可燃物を積載したトラックが横転した状況で火災が発生した場合とかが予め用意されており、そのいずれかの火災状況が自動的に選択され、あるいは手動選択される。
【００６２】
そして、演算ユニット１７は、予め用意された火災現場の映像を映像監視用のモニタ１３ａ、１３ｂ、１３ｃに表示すると共に、Ａトンネルの設備データ（図３）をモニタ１４に表示すると共に、その運用ガイダンス（図４）をガイダンス表示用のモニタ１５に表示する。
【００６３】
以下、上述した様に実際に火災が発生したときと同様の処理手順を実行して、図５、図７で説明した管制員による判断処理や操作処理を実際に行わせる。勿論、模擬訓練モードであるから、この模擬訓練モード下で操作パネル１９から入力された指示信号は、演算ユニット１７が受信するだけであり、実際の端末装置である放水弁や消火ポンプ等には出力されない。
【００６４】
尚、当然のことながら、模擬訓練中に実際に異常事象が発生した場合には、実際の異常発生を訓練中の管制員に報知して各モニタ１３ａ、１３ｂ、１３ｃ、１４、１５の表示画面を実際の異常事象に対応した画面に切り替え、異常事象に即応できる体制にする。
【産業上の利用可能性】
【００６５】
本発明に係るトンネル監視装置は、制御装置が放水最適区画として算出した区画を管制員に推奨するためこの推奨区画を参照して管制員が実際に放水する区画を決定することができるという効果を奏し、トンネル監視装置として有用である。
【図面の簡単な説明】
【００６６】
【図１】本発明の一実施形態に係るトンネル監視装置の構成図
【図２】本発明の一実施形態に係るトンネル監視装置の操作パネルを示す図
【図３】本発明の一実施形態に係るトンネル監視装置で表示する設備配置図
【図４】本発明の一実施形態に係るトンネル監視装置で表示する設備運用ガイダンス図
【図５】本発明の一実施形態に係るトンネル監視装置で実行される制御手順のフローチャート
【図６】本発明の一実施形態に係るトンネル監視装置で異常警報を受信したときの動作説明図
【図７】本発明の一実施形態に係るトンネル監視装置で実行される火災消火制御処理手順のフローチャート
【符号の説明】
【００６７】
１０  トンネル監視装置
１１  管制員
１２  管制卓
１３ａ、１３ｂ、１３ｃ  映像監視用のモニタ
１４  設備表示用のモニタ
１５  ガイダンス表示用のモニタ
１６  映像制御ユニット
１７  演算ユニット（制御手段）
１９  操作パネル
２０  火炎検出用のセンサ
２１  水噴霧放水弁
２２  監視カメラ
３０  制御トンネル用パネル
４０  異常判定用パネル
４９  複数火災用パネル
４９ａ  複数火災発生表示ランプ
４９ｂ  複数火災表示切替スイッチ
５０  水噴霧制御用パネル
５１  鎖錠スイッチ（放水停止スイッチ）
５２  鎖錠解スイッチ（放水開始スイッチ）
５３ａ、５３ｂ、５３ｃ、５３ｄ、５３ｅ  放水停止スイッチ
５４ａ、５４ｂ、５４ｃ、５４ｄ、５４ｅ  選択放水スイッチ
５５ａ、５５ｂ、５５ｃ、５５ｄ、５５ｅ  表示部
【図１】
2005048434.tif 000003
【図２】
2005048434.tif 000004
【図３】
2005048434.tif 000005
【図４】
2005048434.tif 000006
【図５】
2005048434.tif 000007
【図６】
2005048434.tif 000008
【図７】
2005048434.tif 000009